(57)【要約】【課題】  フィルムの現像処理に当たり、フィルム収容体を容易にセットすることができるフィルム現像処理装置のフィルム供給装置を提供する。【解決手段】  本発明は、開閉自在の蓋を有する箱枠を備え、蓋を閉じた状態で箱枠内に収容されたフィルム収容体から未現像のフィルムを送り手段により引き出して搬送し、搬送経路を構成するガイド部材を介してフィルムをフィルム現像処理装置の現像処理部に送り込むようにしたフィルム現像処理装置のフィルム供給装置において、蓋側に、フィルム収容体を支持するホルダーと、該ホルダーに対向する第一のガイド部材とが取り付けられる一方、箱枠側に、蓋を閉じた状態で第一のガイド部材と搬送経路が連通する第二のガイド部材が取り付けられてなることを特徴とする。【選択図】  図１
2005078021.tif 000002
【特許請求の範囲】
【請求項１】
開閉自在の蓋を有する箱枠を備え、蓋を閉じた状態で箱枠内に収容されたフィルム収容体から未現像のフィルムを送り手段により引き出して搬送し、搬送経路を構成するガイド部材を介してフィルムをフィルム現像処理装置の現像処理部に送り込むようにしたフィルム現像処理装置のフィルム供給装置において、蓋側に、フィルム収容体を支持するホルダーと、該ホルダーに対向する第一のガイド部材とが取り付けられる一方、箱枠側に、蓋を閉じた状態で第一のガイド部材と搬送経路が連通する第二のガイド部材が取り付けられてなることを特徴とするフィルム現像処理装置のフィルム供給装置。
【請求項２】
前記第一のガイド部材は、前記蓋の内面に沿った搬送経路を有し、前記第二のガイド部材は、少なくとも入口側に垂直方向の搬送経路を有してなる請求項１記載のフィルム現像処理装置のフィルム供給装置。
【請求項３】
前記送り手段は、一方が前記第一のガイド部材に取り付けられ、他方が前記箱枠側に取り付けられ、前記蓋を閉じた状態で互いに当接するローラ対からなる請求項１又は２記載のフィルム現像処理装置のフィルム供給装置。
【請求項４】
前記他方のローラは、前記蓋を閉じる際に前記第一のガイド部材と干渉するのを防止すべく、変位可能に支持されてなる請求項３記載のフィルム現像処理装置のフィルム供給装置。
【請求項５】
前記搬送経路は、種類の異なるフィルムあるいは同種の複数のフィルムに対応して複数並設されており、これに対応して、複数の前記ホルダーが並列して前記蓋側に取り付けられてなる請求項１乃至４の何れかに記載のフィルム現像処理装置のフィルム供給装置。
【請求項６】
前記搬送経路は、種類の異なるフィルムあるいは同種の複数のフィルムに対応して複数並設されており、前記ホルダーは、各搬送経路に対して位置決め可能とすべく、前記蓋側にスライド自在に取り付けられてなる請求項１乃至４の何れかに記載のフィルム現像処理装置のフィルム供給装置。
【発明の詳細な説明】
【技術分野】
【０００１】
本発明は、１３５サイズフィルム（あるいは幅サイズが同じである１２６サイズフィルム）や、これよりも幅サイズが小さい新写真システム（Ａｄｖａｎｃｅｄ  Ｐｈｏｔｏ  Ｓｙｓｔｅｍ：ＡＰＳ）フィルム等のフィルムを処理液槽に供給するためのフィルム供給装置に関する。
【背景技術】
【０００２】
この種のフィルム現像処理装置は、図４に示す如く、フィルム供給装置２にフィルム収容体（１３５サイズフィルムであれば、パトローネ、ＡＰＳフィルムであれば、カートリッジ）３がセットされると、該フィルム収容体３内の撮影済みのフィルム４が自動的にフィルム収容体３外に引き出されるようになっている。そして、このフィルム４は、現像処理部５に設けられた処理液タンク６内に保持されている現像液、漂白液、定着液等の各種処理液中を蛇行しつつ搬送され、現像されるようになっている。この後、現像されたフィルム４は、乾燥部７で乾燥させられた後、取出部８から装置外に排出される（取り出される）ようになっている。
【０００３】
フィルム供給装置２は、大きく二種類に分けられる。一つは、フィルム３が下方向（垂直方向）に引き出される方式（以下、「垂直引き出し方式」と称する：例えば特許文献１の図１参照）であり、もう一つは、フィルムが水平方向に引き出されるタイプ（以下、「水平引き出し方式」と称する：例えば特許文献２の図１参照）である。
【０００４】
垂直引き出し方式のフィルム供給装置２は、図５に示す如く、開閉自在の蓋１１を有する箱枠１０の内部に、フィルム排出口３ａが下方向を向くようにしてフィルム収容体３を支持するホルダー１２と、一方が箱枠１０に取り付けられ、他方が蓋１１に取り付けられ、蓋１１を閉じた状態でフィルム４を挟持し、該フィルム４をフィルム収容体３から下方向に引き出して搬送する一対の送りローラ１３，１３と、フィルム４を受け入れて途中位置にてフィルム４の搬送方向を下方向から水平方向に転換するガイド部材１４と、該ガイド部材１４におけるフィルム４を案内する複数のガイドローラ１５，…とを備えて構成される。
【０００５】
かかる構成からなるフィルム供給装置２においては、オペレータは、まず、蓋１１を開き、フィルム収容体３をホルダー１２にセット（装填）し、次に、フィルム収容体３から引き出したフィルム４の先端をガイド部材１４に差し込む。そして、蓋１１を閉じれば、蓋１１に取り付けられた送りローラ（圧着ローラ）１３がフィルム４を箱枠１０に取り付けられた送りローラ（駆動ローラ）１３に圧着し、この状態で送りローラ１３，１３が回転してフィルム４をフィルム収容体３から引き出す。
【０００６】
１３５サイズフィルムの場合、フィルム４の後端はパトローネ３のスプールに固定されているため、フィルム４が完全に引き出されると、パトローネ３がフィルム４に引っ張られる。この際、パトローネ３に当接していたレバー１６が押されて揺動し、そのためにセンサ（図示しない）がＯＮしてアクチュエータ１７が作動し、アクチュエータ１７に取り付けたカッター１８がフィルム４を切断するようになっている。ＡＰＳフィルムの場合は、フィルム４がカートリッジ４のスプールから分離可能に構成されているため、カッター１８は作動しないかあるいは不要である。
【０００７】
尚、ガイド部材１４の入口側に配置されたセンサ１９は、フィルム４の先端がガイド部材１４の適正位置にまで差し込まれたことを検出するセンサであり、このセンサ１９がＯＮしないと、送りローラ１３，１３は回転しないようになっている。
【０００８】
一方、図６に示す如く、水平引き出し方式のフィルム供給装置２も、垂直引き出し方式のフィルム供給装置２と同様の構成を備えるが、ホルダー１２は、フィルム排出口３ａが水平を向くようにしてフィルム収容体３を支持するものであり、ホルダー１２は、一方が箱枠１０側に取り付けられ、他方が箱枠１０側に揺動自在に取付けられ且つ蓋１１の開閉に伴って揺動する構成であり、ガイド部材１４は、フィルム４を受け入れて途中位置にてフィルム４の搬送方向を水平方向から下方向に転換するものである点で相違している。
【特許文献１】特開平５−３４６６５５号公報
【特許文献２】特開平１１−２２３９２７号公報
【発明の開示】
【発明が解決しようとする課題】
【０００９】
しかしながら、垂直引き出し方式であれ、水平引き出し方式であれ、共通した問題点を抱えている。それは、通常、オペレータは、蓋１１を手前側に開く立ち位置でフィルム供給装置２と正対する（図４のＡ方向）ため、蓋１１が邪魔となって、フィルム収容体３のセットがしづらく、ミスが頻発するという問題である。特に、水平引き出し方式では、蓋１１とホルダー１２の揺動側とをそれぞれ別々に開閉操作するといった手間を無くすべく、両者を一体的に開閉可能にリンクしているが、そのため、蓋１１の開放度が大きく制約され、問題は顕著となる。
【００１０】
また、垂直引き出し方式では、フィルム４の巻き癖（フィルム４がスプールに巻かれた状態に置かれるために生じるもの）がオペレータから離れる方向に作用し、しかも、その方向には、送りローラ１３やカッター１８があるため、フィルム４の先端をガイド部材１４に差し込む作業がやりにくいという問題がある。
【００１１】
一方、水平引き出し方式では、垂直引き出し方式に比べてフィルム４の差し込む作業は容易であるものの、水平方向の搬送経路が長くなり、その分、機長（図４のＡ方向における）が長くなるため、フィルム現像処理装置を設置するのに必要な専有面積が垂直引き出し方式よりも大きくなり、省スペース化が図れないという問題がある。尚、垂直引き出し方式は、機高が高くなるだけで、垂直引き出し方式よりも専有面積が小さくてすむから、省スペース化に寄与できる。
【００１２】
そこで、本発明は、上記の如き問題点に鑑みてなされたもので、フィルムの現像処理に当たり、フィルム収容体を容易にセットすることができるフィルム現像処理装置のフィルム供給装置を提供することを第一の課題とし、併せて、ガイド部材にフィルムを差し込む作業が容易となり且つ省スペース化に寄与できるフィルム現像処理装置のフィルム供給装置を提供することを第二の課題とする。
【課題を解決するための手段】
【００１３】
上記課題を解決すべく、本発明に係るフィルム現像処理装置のフィルム供給装置は、開閉自在の蓋を有する箱枠を備え、蓋を閉じた状態で箱枠内に収容されたフィルム収容体から未現像のフィルムを送り手段により引き出して搬送し、搬送経路を構成するガイド部材を介してフィルムをフィルム現像処理装置の現像処理部に送り込むようにしたフィルム現像処理装置のフィルム供給装置において、蓋側に、フィルム収容体を支持するホルダーと、該ホルダーに対向する第一のガイド部材とが取り付けられる一方、箱枠側に、蓋を閉じた状態で第一のガイド部材と搬送経路が連通する第二のガイド部材が取り付けられてなることを特徴とする。
【００１４】
上記構成からなるフィルム現像処理装置のフィルム供給装置によれば、まず、蓋を開き、フィルム収容体をホルダーにセット（装填）し、次に、フィルム収容体から引き出したフィルムの先端を第一のガイド部材に差し込む。尚、セットと差し込みは逆の手順であってもよい。そして、蓋を閉じれば、第一のガイド部材と第二のガイド部材とが連通し、一つの搬送経路が構成され、送り手段によりフィルムはフィルム収容体から引き出されてフィルム現像処理装置の現像処理部に向けて搬送される。
【００１５】
また、本発明に係るフィルム現像処理装置のフィルム供給装置は、請求項２記載の如く、前記第一のガイド部材は、前記蓋の内面に沿った搬送経路を有し、前記第二のガイド部材は、少なくとも入口側に垂直方向の搬送経路を有してなる構成を採用することができる。かかる構成によれば、例えば、蓋を水平乃至略水平状態に開いた場合、フィルムの巻き癖がオペレータに向かう方向に作用するのであるが、オペレータはそれを伸ばすようにしてフィルムの先端を第一のガイド部材に差し込む。蓋を閉じた状態では、フィルムは下方向に引き出されて搬送される。即ち、従来の垂直引き出し方式に近似した態様となる。
【００１６】
そして、本発明に係るフィルム現像処理装置のフィルム供給装置は、請求項３記載の如く、前記送り手段は、一方が前記第一のガイド部材に取り付けられ、他方が前記箱枠側に取り付けられ、前記蓋を閉じた状態で互いに当接するローラ対からなる構成を採用することができる。しかるに、かかる構成によれば、第一のガイド部材の入口側領域は、従来の水平引き出し方式と同様、広く開放されるため、フィルムの差し込む作業が容易となる。
【００１７】
その場合、請求項４記載の如く、前記他方のローラは、前記蓋を閉じる際に前記第一のガイド部材と干渉するのを防止すべく、変位可能に支持されてなる構成を採用することができる。しかるに、かかる構成によれば、第一のガイド部材と一方のローラとの間隔を狭めることができるため、蓋の長さを短くし、ひいては機高を僅かではあるが低くすることができる。
【００１８】
また、本発明に係るフィルム現像処理装置のフィルム供給装置は、請求項５記載の如く、前記搬送経路は、種類の異なるフィルムあるいは同種の複数のフィルムに対応して複数並設されており、これに対応して、複数の前記ホルダーが並列して前記蓋側に取り付けられてなる構成を採用することができるし、請求項６記載の如く、前記搬送経路は、種類の異なるフィルムあるいは同種の複数のフィルムに対応して複数並設されており、前記ホルダーは、各搬送経路に対して位置決め可能とすべく、前記蓋側にスライド自在に取り付けられてなる構成を採用することもできる。しかるに、これらの構成によれば、同種あるいは異種のフィルムを複数同時に処理することができ、生産性の向上を図ることができる。
【発明の効果】
【００１９】
このように、本発明に係るフィルム現像処理装置のフィルム供給装置は、蓋側にフィルム収容体を支持するホルダーが取り付けられ、開いた蓋自体が作業を行う場となるため、作業性が良好となり、従来の如く、蓋が邪魔となって、フィルム収容体のセットがしづらく、ミスが頻発するといった問題を無くして、容易且つ迅速にフィルム収容体をセットすることができるようになる。
【００２０】
また、本発明に係るフィルム現像処理装置のフィルム供給装置は、請求項２記載の如く、第一のガイド部材が蓋の内面に沿った搬送経路を有し、第二のガイド部材が少なくとも入口側に垂直方向の搬送経路を有してなる構成を採用すれば、蓋を水平乃至略水平状態に開くことにより、フィルムの先端を第一のガイド部材に差し込むに際し、水平面上で作業ができるため、ガイド部材にフィルムを差し込む作業が容易となり、しかも、蓋を閉じた状態が従来の垂直引き出し方式に近似した態様となるため、従来の垂直引き出し方式と同様、専有面積が小さくてすみ、省スペース化に寄与できる。
【発明を実施するための最良の形態】
【００２１】
以下、本実施形態に係るフィルム供給装置を図面を参酌しつつ説明する。尚、従来のフィルム供給装置と重複する構成については同一符号を付し、詳細な説明を割愛する場合もある。
【００２２】
図１及び図２に示す如く、本実施形態に係るフィルム供給装置２は、フィルム現像処理装置に一体的に組み込まれたものであり、開閉自在の蓋１１を有する箱枠１０を備え、蓋１１を閉じた状態で箱枠１０内に収容されたフィルム収容体３から未現像のフィルム４を送りローラ１３，１３により引き出して搬送し、搬送経路を構成するガイド部材１４を介してフィルム４をフィルム現像処理装置の現像処理部５に送り込むようにしたもので、蓋１１に、フィルム収容体３を支持するホルダー１２と、該ホルダー１２に対向する第一のガイド部材１４ａとが取り付けられる一方、箱枠１０に、蓋１１を閉じた状態で第一のガイド部材１４ａと搬送経路が連通する第二のガイド部材１４ｂが取り付けられている。
【００２３】
箱枠１０は、蓋１１と共に内部空間を暗室として画するためのもので、フィルム現像処理装置から分離可能であったり、あるいはフィルム現像処理装置の筐体の一部によって構成されていたりする。蓋１１は、上面及び正面に跨って形成された箱枠１０の開口部を覆う部材で、直交する二面からなる側面視略Ｌ字状を呈し、下端部が箱枠１０に回転自在に取り付けられることにより、フィルム供給装置２と正対するオペレータの手前側であって上から下に開く、水平乃至略水平状態に開放状態を維持することができる。
【００２４】
ホルダー１２は、フィルム排出口３ａが水平方向（第一のガイド部材１４ａの入口）を向くようにしてフィルム収容体３を支持するものであり、蓋１１が開いた状態で上から落とし込むようにしてセットする。本実施形態に係るホルダー１２は、従来のものと異なり、可動側である蓋１１に取り付けられるため、蓋１１の開閉操作によってフィルム収容体３がホルダー１２から離脱しないようにしなければならない。その離脱防止手段の構成については、後述する。
【００２５】
一対の送りローラ１３，１３は、第一のガイド部材１４ａに取り付けられた送りローラ（駆動ローラ）１３と、箱枠１０側に取り付けられた送りローラ（圧着ローラ）１３とからなり、蓋１１を閉じた状態で互いに当接してフィルム４を挟持する。しかも、箱枠１０側の送りローラ１３は、所定角度範囲で揺動自在なアーム２０に取り付けられており、変位可能に支持されている。
【００２６】
第一の案内ガイド１４ａは、蓋１１の内面に沿って蓋１１が開いた状態では水平方向乃至略水平方向の搬送経路を有し、第二のガイド部材１４ｂは、入口側に垂直方向の搬送経路を有し、途中位置にてフィルム４の搬送方向を下方向から水平方向に転換する搬送経路を有している。蓋１１を閉じた状態では、フィルム収容体３の排出口３ａ、第一のガイド部材１４ａの搬送経路、第二のガイド部材１４ｂの垂直方向の搬送経路は、垂直方向に直線状に並ぶものである。
【００２７】
また、本実施形態に係るフィルム供給装置２は、１３５サイズフィルムとＡＰＳフィルムの二種類のフィルムを処理できるよう、第一のガイド部材１４ａ及び第二のガイド部材１４ｂのそれぞれが１３５サイズフィルム用の搬送経路と、ＡＰＳフィルム用の搬送経路とを有している。即ち、蓋１１を閉じた状態では、第一のガイド部材１４ａの１３５サイズフィルム用の搬送経路及びＡＰＳフィルム用の搬送経路がそれぞれ第二のガイド部材１４ｂの１３５サイズフィルム用の搬送経路及びＡＰＳフィルム用の搬送経路と連通する。
【００２８】
これに対応して、二つのホルダー１２，１２が（フィルム４の搬送方向と直交する方向に）並列して蓋１１側に取り付けられている。図３（イ）及び（ロ）は、１３５サイズフィルムに対応したホルダー１２であり、図３（ハ）は、ＡＰＳフィルムに対応したホルダー１２である。
【００２９】
１３５サイズフィルム用のホルダー１２に対しては、二種類の離脱防止手段である二種類のアーム２１，２２が設けられている。アーム２１は、ホルダー１２に揺動自在に取り付けられ、パトローネ３Ａ側に付勢され、スプールに係合してパトローネ３Ａを保持するものであり（図３（イ））、アーム２２は、ホルダー１２とは独立して蓋１１側に揺動自在に取り付けられ、巻替えマガジン（一旦パトローネから外された未現像の１３５サイズフィルムを巻き取るためのフィルム収容体）３Ａ’側に付勢され、突部に係合して巻替えマガジン３Ａ’を保持するものである（図３（ロ））。即ち、１３５サイズフィルム用のホルダー１２は、パトローネ３Ａ及び巻替えマガジン３Ａ’を選択的に装填可能である。
【００３０】
ＡＰＳフィルム用のホルダー１２に対しては、一種類の離脱防止手段であるアーム２３が設けられている。アーム２３は、ホルダー１２とは独立して蓋１１側に揺動自在に取り付けられ、カートリッジ３Ｂ側に付勢され、外周面に係合してカートリッジ３Ｂを保持するものである（図３（ロ））。尚、アーム２３は、カートリッジ３Ｂをホールドした状態でバネ付勢されたレバー２４にロックされるようになっていて、付勢に抗してレバー２４を操作しなければ、アーム２３を回転させてカートリッジ３Ｂを取り出すことはできない。また、アーム２３は、一本のシャフト２４によってアーム２２と同軸に揺動する。
【００３１】
本実施形態に係るフィルム供給装置は、以上の如くであり、オペレータは、まず、蓋１１を開き、フィルム収容体３をホルダー１２にセット（装填）し、次に、フィルム収容体３から引き出したフィルム４の先端を第一のガイド部材１４ａに差し込む。そして、蓋１１を閉じれば、箱枠１０側に取り付けられた送りローラ（圧着ローラ）１３がフィルム４を第一のガイド部材１４ａに取り付けられた送りローラ（駆動ローラ）１３に圧着し、この状態で送りローラ１３，１３が回転してフィルム４をフィルム収容体３から引き出す。
【００３２】
因みに、蓋１１を閉じる際、圧着ローラ１３に第一のガイド部材１４ａ（の入口部）が当接するが、これに応じてアーム２０が揺動することにより圧着ローラ１３が押し込まれて第一のガイド部材１４ａとの当接が外れ、最終的には、圧着ローラ１３と駆動ローラ１３とが当接した正規の状態となって（図２参照）、箱枠１０が閉塞される。
【００３３】
しかして、本実施形態に係るフィルム供給装置によれば、蓋１１側にフィルム収容体３を支持するホルダー１２が取り付けられ、開いた蓋１１自体が作業を行う場となることで、オペレータから近い位置にあり、また、作業スペースが広いことから、作業性が良好となり、容易且つ迅速にフィルム収容体をセットすることができる。
【００３４】
また、第一のガイド部材１４ａが蓋１１の内面に沿った搬送経路を有し、第二のガイド部材１４ｂが入口側に垂直方向の搬送経路を有してなるため、蓋１１を水平乃至略水平状態に開くことにより、フィルム４の先端を第一のガイド部材１４ａに差し込むに際し、水平面上で作業ができ、また、フィルム４の巻き癖がオペレータに向かう方向に作用するのであるが、その方向には何も部材がなく、オペレータはそれを伸ばすようにしてフィルム４の先端を第一のガイド部材に差し込むのであり、その結果、ガイド部材１４ａにフィルム４を差し込む作業が容易となる。
【００３５】
しかも、蓋１１を閉じた状態が従来の垂直引き出し方式に近似した態様となるため、従来の垂直引き出し方式と同様、専有面積が小さくてすみ、省スペース化に寄与できる。
【００３６】
尚、本発明は、上記実施形態に限定されるものではなく、本発明の要旨を逸脱しない範囲で種々の変更が可能である。
【００３７】
例えば、ホルダー１２、第一のガイド部材１４ａ等は、蓋１１に直接的に取り付けられていてもよいし、蓋１１に取り付けられた部材を介して間接的に取り付けられていてもよい。「蓋側」とは両方を含む趣旨である。また、第二のガイド部材１４ｂ等も、箱枠１０に直接的に取り付けられていてもよいし、箱枠１０に取り付けられた部材を介して間接的に取り付けられていてもよい。「箱枠側」とは両方を含む趣旨である。
【００３８】
また、上記実施形態においては、蓋１１側の送りローラ１３が駆動ローラであり、箱枠１０側の送りローラ１３が圧着ローラであるが、逆であってもよいし、両方とも駆動ローラであってもよい。
【図面の簡単な説明】
【００３９】
【図１】本実施形態のフィルム供給装置の蓋を開いた状態の側面図を示す。
【図２】同実施形態のフィルム供給装置の蓋を閉じた状態の側面図を示す。
【図３】同実施形態のホルダーの要部側面図であって、（イ）は、パトローネを装着した状態、（ロ）は、巻替えマガジンを装着した状態、（ハ）は、カートリッジを装着した状態、を示す。
【図４】フィルム現像処理装置の概略構成側面図を示す。
【図５】従来のフィルム供給装置の側面図を示す。
【図６】その他の従来のフィルム供給装置の側面図を示す。
【符号の説明】
【００４０】
２…フィルム供給装置、３…フィルム収容体、３ａ…フィルム排出口、３Ａ…パトローネ、３Ａ’…巻替えマガジン、３Ｂ…カートリッジ、４…フィルム、５…現像処理部、６…処理液タンク、７…乾燥部、８…取出部、１０…箱枠、１１…蓋、１２…ホルダー、１３…送りローラ（送り手段）、１４…ガイド部材、１４ａ…第一のガイド部材、１４ｂ…第二のガイド部材、１５…ガイドローラ、１６…レバー、１７…アクチュエータ、１８…カッター、１９…センサ、２０…アーム、２１〜２３…アーム（離脱防止手段）、２４…レバー、２５…シャフト
【図１】
2005078021.tif 000003
【図２】
2005078021.tif 000004
【図３】
2005078021.tif 000005
【図４】
2005078021.tif 000006
【図５】
2005078021.tif 000007
【図６】
2005078021.tif 000008